【手続補正書】
【提出日】平成20年4月30日(2008.4.30)
【手続補正１】
【補正対象書類名】特許請求の範囲
【補正対象項目名】全文
【補正方法】変更
【補正の内容】
【特許請求の範囲】
【請求項１】
データ記憶装置から情報を得る方法であって、
固有のシーケンスの記録を含むデータを前記データ記憶装置上の少なくとも１つの論理ボリュームに書き込むステップと、
前記データ記憶装置が、前記少なくとも１つの論理ボリュームに書き込まれた前記データを分析し、前記固有のシーケンスの記録を検知する、分析するステップと、
前記データ記憶装置が前記少なくとも１つの論理ボリューム上にある前記固有のシーケンスの記録を検知することに応答して、データ記憶装置特有情報を該少なくとも１つの論理ボリューム上に書き込むステップと
を含む方法。
【請求項２】
前記分析するステップは、前記データ記憶装置に結合されたオペレータ・インターフェースを用いて使用不可又は使用可能にされる、請求項１に記載の方法。
【請求項３】
前記少なくとも１つの論理ボリュームをマウントするステップと、
前記少なくとも１つの論理ボリュームから前記装置特有情報を読み取るステップと
をさらに含む、請求項１に記載の方法。
【請求項４】
前記読み取るステップは、
ボリューム・ヘッダを読み取るステップと、
第１のデータセット・ヘッダを読み取るステップと、
第２のデータセット・ヘッダを読み取るステップと、
第１のテープ・マークを読み取るステップと、
レポート・ヘッダを読み取るステップと、
少なくとも１つのレポートのデータ記録を読み取るステップと、
第２のテープ・マークを読み取るステップと、
ボリューム・トレーラを読み取るステップと、
ファイルの第１のボリュームの終端を読み取るステップと、
ファイルの第２のボリュームの終端を読み取るステップと、
第３のテープ・マークを読み取るステップと、
第４のテープ・マークを読み取るステップと
をさらに含む、請求項３に記載の方法。
【請求項５】
前記装置特有情報は、前記データ記憶装置内の前記少なくとも１つの論理ボリュームと関連したメタデータの属性のリストのうちの１つ又は複数を備える、請求項１に記載の方法。
【請求項６】
固有のシーケンスの記録を含むデータを書き込む前記ステップが、
ボリューム・ヘッダを書き込むステップと、
第１のデータセット・ヘッダを書き込むステップと、
第２のデータセット・ヘッダを書き込むステップと、
第１のテープ・マークを書き込むステップと、
キー記録を書き込むステップと、
クエリ識別子記録を書き込むステップと、
第２のテープ・マークを書き込むステップと、
ボリューム・トレーラを書き込むステップと、
ファイルの第１のボリュームの終端を書き込むステップと、
ファイルの第２のボリュームの終端を書き込むステップと、
第３のテープ・マークを書き込むステップと、
第４のテープ・マークを書き込むステップと
をさらに含む、請求項１に記載の方法。
【請求項７】
データ記憶装置から情報を得る方法であって、
固有のシーケンスの記録を含むデータを前記データ記憶装置上の少なくとも１つの論理ボリュームに書き込むステップと、
前記データ記憶装置が、前記少なくとも１つの論理ボリュームに書き込まれた前記データを分析し、前記固有のシーケンスの記録を検知するステップと、
前記データ記憶装置が、前記少なくとも１つの論理ボリューム上にある前記固有のシーケンスの記録を検知することに応答して、装置特有情報のデータ要求フラグを前記論理ボリュームと関連したメタデータ内に置き、該少なくとも１つの論理ボリュームが装置特有情報を含むことを示すようにするステップと
を含む方法。
【請求項８】
前記少なくとも１つの論理ボリュームをマウントする要求を受信するステップと、
前記メタデータを読み取るステップと、
前記メタデータ内の前記装置特有情報のデータ要求フラグを検知することに応答して、前記装置特有情報を前記少なくとも１つの論理ボリューム上に書き込むステップと
をさらに含む、請求項７に記載の方法。
【請求項９】
前記少なくとも１つの論理ボリュームをマウントする要求を受信するステップと、
前記メタデータを読み取るステップと、
前記メタデータ内の前記装置特有情報のデータ要求フラグを検知することに応答して、前記少なくとも１つの論理ボリュームが特別のデータ要求論理ボリュームであることを検証するステップと、
前記装置特有情報を前記少なくとも１つの論理ボリューム上に書き込むステップと
をさらに含む、請求項７に記載の方法。
【請求項１０】
装置から情報を得るためのシステムであって、
ホスト・コンピュータと、
キャッシュ・メモリを含むデータ記憶装置と、
少なくとも１つの論理ボリュームと、
前記データ記憶装置を制御するための中央処理装置と、
前記データ記憶装置を前記ホスト・コンピュータに接続するための、該ホスト・コンピュータに結合されたホスト・コンピュータ・インターフェースと
を備え、
前記ホスト・コンピュータは、固有のシーケンスの記録を含むデータを前記データ記憶装置上の前記少なくとも１つの論理ボリュームに書き込むように構成され、
前記データ記憶装置は、前記少なくとも１つの論理ボリュームに書き込まれた前記データを分析し、前記固有のシーケンスの記録を検知し、
前記データ記憶装置が前記少なくとも１つの論理ボリューム上にある前記固有のシーケンスの記録を検知することに応答して、該データ記憶装置が、データ記憶装置特有情報を該少なくとも１つの論理ボリューム上に書き込むように構成される、システム。
【請求項１１】
前記データ記憶装置が仮想テープ・サーバである、請求項１０に記載のシステム。
【請求項１２】
前記データ記憶装置に結合され、前記少なくとも１つの論理ボリュームに書き込まれた前記データを分析するために、該データ記憶装置を使用可能又は使用不能にするように構成されたオペレータ・インターフェースをさらに備える、請求項１０又は請求項１１のいずれかに記載のシステム。
【請求項１３】
前記データ記憶装置が、
データの格納のためのデータ記憶媒体と、
前記データ記憶媒体に対して前記データを読み書きするためのデータ・ストレージ・ドライブと、
自動データ・ストレージ・ライブラリを制御するためのライブラリ・コントローラと
をさらに備える自動データ・ストレージ・ライブラリである、請求項１０、請求項１１、又は請求項１２のいずれかに記載のシステム。
【請求項１４】
データ記憶装置であって、
キャッシュ・メモリと、
少なくとも１つの論理ボリュームと、
前記少なくとも１つの論理ボリュームと関連したメタデータと、
前記データ記憶装置を制御するための中央処理装置と、
前記データ記憶装置を前記ホスト・コンピュータに接続するための、該ホスト・コンピュータに結合されたホスト・コンピュータ・インターフェースと
を備え、
前記少なくとも１つの論理ボリューム上のデータを分析し、固有のシーケンスの記録を検知するように構成され、
データ記憶装置が、前記少なくとも１つの上の前記固有のシーケンスの記録を検知することに応答して、装置特有情報のデータ要求フラグを前記メタデータ内に置き、該少なくとも１つの論理ボリュームが装置特有情報を含むことを示す、データ記憶装置。
【請求項１５】
前記データ記憶装置は、前記少なくとも１つの論理ボリュームをマウントする要求を受信し、前記メタデータを読み取り、前記メタデータ内の前記装置特有情報のデータ要求フラグを検知することに応答して、該装置特有情報を該少なくとも１つの論理ボリューム上に書き込むように構成される、請求項１４に記載のデータ記憶装置。
【請求項１６】
前記データ記憶装置は、前記少なくとも１つの論理ボリュームをマウントする要求を受信し、前記メタデータを読み取り、前記メタデータ内の前記装置特有情報のデータ要求フラグを検知することに応答して、該少なくとも１つの論理ボリュームが特別のデータ要求論理ボリュームであることを検証し、該装置特有情報を該少なくとも１つの論理ボリューム上に書き込むように構成される、請求項１４に記載のデータ記憶装置。
【請求項１７】
前記データ記憶装置に結合され、前記少なくとも１つの論理ボリューム上の前記データを分析するために、該データ記憶装置を使用可能又は使用不能にするように構成されたオペレータ・インターフェースをさらに備える、請求項１４、請求項１５、又は請求項１６のいずれかに記載のデータ記憶装置。